(57)【要約】【課題】ショーケース本体背面に３枚以上の引戸を有するショーケースにおいて、左右両端以外の引戸の戸閉操作を容易にする。【解決手段】上部のガイドレール１１に案内されながら、下部の走行レール１２上を車輪１３により走行して開閉するショーケースの背面引戸装置において、ガイドレール１３の内側に、引戸９を正規の閉位置で停止させるストッパ１５を設ける。引戸９はストッパに当たるまで動かして閉めればよいので停止位置の目視確認が不要であり、定位置に正確に停止させることができる。また、走行レール１２の上面に、引戸９が閉位置に達する直前に乗り越える突起１８を設ける。引戸９が突起１８を乗り越えたことが感触で手に伝わるため、閉位置に達したことが容易に感知でき、また突起１８を乗り越える際に一定の抵抗が生じるため、振動などで閉位置から簡単に動いてしまうことがない。【選択図】      図２
2005185396.tif 000002
【特許請求の範囲】
【請求項１】
ショーケース本体の背面に３枚以上の引戸を有し、これらの引戸は上部のガイドレールに案内されながら、下部の走行レール上を車輪により走行して開閉するショーケースの背面引戸装置において、
前記ガイドレールの内側に、左右両端以外の前記引戸を正規の閉位置で停止させるストッパを設けたことを特徴とするショーケースの背面引戸装置。
【請求項２】
ショーケース本体の背面に３枚以上の引戸を有し、これらの引戸は上部のガイドレールに案内されながら、下部の走行レール上を車輪により走行して開閉するショーケースの背面引戸装置において、
前記走行レールの上面に、前記引戸が閉位置に達する直前に前記車輪が乗り越える突起又は前記引戸の閉位置で前記車輪が落ち込む窪みを設けたことを特徴とするショーケースの背面引戸装置。
【発明の詳細な説明】
【技術分野】
【０００１】
この発明は、ショーケース本体の背面に商品補充用の引戸を有するショーケースに関する。
【背景技術】
【０００２】
ウォークインショーケースやリーチインショーケースなどは、ショーケース本体の背面に商品補充用の引戸を有している。このようなショーケースについては、例えば特許文献１に記載されているが、図５及び図６によりウォークインショーケースの一例について、その全体構成を改めて概略説明する。ここで、図５はショーケースの縦断面図、図６はその背面図である。図５において、図示ショーケースはオープンショーケースで、ショーケース本体１内に前面が開口した商品陳列室２が区画され、庫内には商品陳列棚３が多段に設けられている。商品陳列室２の外側には循環通風路４が形成され、この循環通風路４には冷却器５及び通風ファン６，７が設置されている。庫内空気は通風ファン６，７の運転により、冷却器５を通して商品陳列室２の周囲を循環し、商品陳列棚３上に陳列された図示しない商品を冷却する。図示の場合、ショーケース本体１の背面は、図６に示すように３枚の引戸８〜１０で閉じられ、商品は引戸８〜１０を開けて補充される。
【特許文献１】特開平４−２７３９７７号公報
【発明の開示】
【発明が解決しようとする課題】
【０００３】
図６において、左右両端以外の中央の引戸９はレール上を左右に自由に移動できる。そのため、従来は中央の引戸９を閉める際、作業員が目測により正規の閉位置に停止させている。ところが、この戸閉操作は引戸９の停止位置を目視で確認しなければならないため能率が悪く、また中央の引戸８は停止位置で位置規制が全くないため、わずかの振動や作業員の接触で位置がずれてしまい、それに気付かずに冷気が漏れてしまう不都合があった。図示ショーケースは引戸が３枚の例であるが、このような不都合は引戸が３枚以上のショーケースに共通の問題で、特に引戸が奇数枚のショーケースの左右両端以外の引戸において大きい。
【０００４】
そこで、この発明の課題は、ショーケース本体背面に３枚以上の引戸を有するショーケースにおいて、左右両端以外の引戸の戸閉操作を容易にし、更に閉位置の引戸が振動等でずれないようにすることにある。
【課題を解決するための手段】
【０００５】
上記課題を解決するために、この発明は、ショーケース本体の背面に３枚以上の引戸を有し、これらの引戸は上部のガイドレールに案内されながら、下部の走行レール上を車輪により走行して開閉するショーケースの背面引戸装置において、前記ガイドレールの内側に、左右両端以外の前記引戸を正規の閉位置で停止させるストッパを設けるものである（請求項１）。請求項１の発明によれば、引戸はストッパに当たるまで動かせばよく、また常に定位置に正確に停止させることができる。
【０００６】
また、この発明は、ショーケース本体の背面に３枚以上の引戸を有し、これらの引戸は上部のガイドレールに案内されながら、下部の走行レール上を車輪により走行して開閉するショーケースの背面引戸装置において、前記走行レールの上面に、前記引戸が閉位置に達する直前に前記車輪が乗り越える突起又は前記引戸の閉位置で前記車輪が落ち込む窪みを設けるものとする（請求項２）。請求項２の発明によれば、車輪が突起を乗り越え、又は窪みに落ち込む感触が手に伝わるため、目視に頼ることなく閉位置に達したことが容易に感知できるとともに、突起又は窪みにより一定の抵抗が生じるため、振動や作業員の接触などで閉位置から簡単に動いてしまうことがない。
【発明の効果】
【０００７】
以上の通り、この発明によれば、戸閉時に引戸の停止位置に気を使う必要がないので作業能率が向上するとともに、戸閉位置が正確になりかつ振動等による位置ずれもなくなるので、隙間からの冷気漏れや埃の侵入などの不都合もなくなる。
【発明を実施するための最良の形態】
【０００８】
以下、図１〜図４に基づいて、この発明の実施の形態を説明する。ここで、図１の（Ａ）は引戸装置の平面図、同じく（Ｂ）はその正面図、図２は図１の要部拡大図、図３は図１のIII−III線に沿う断面図である。なお、従来例と対応する部分には同一の符号を用いるものとする。図１に示すように、背面引戸装置は３枚の引戸８〜１０を有し、図３に示すように、これらの引戸８〜１０は前後２重構造の上部のガイドレール１１に案内されながら、下部の走行レール１２上を車輪１３により走行して開閉する。左右の引戸８，１０は柱材１４に突き当てられ、図示しないマグネットによる吸着などで動きが止められているが、中央の引戸９は従来は左右に自在に動き得るようになっており、上述したような不都合が生じていた。
【０００９】
そこで、図示実施の形態においては、まずガイドレール１１の内側に、左右両端以外の引戸９、つまり中央の引戸９を図示正規の閉位置で突き当てて停止させるストッパ１５が設けられている。ストッパ１５は図２に示すように、鋼板からなるＬ形の金具１６と、その垂直脚部に接着された緩衝ゴム１７とからなり、金具１６の水平脚部を介してガイドレール１１の天井面にネジ止めされている。図１（Ｂ）において、中央の引戸９は右方向にのみ開けられ、開位置から左方向に走行した引戸９はストッパ１５に当たって、図示の通り停止する。図示構成によれば、引戸９はストッパ１５に当たるまで閉めればよいので目視確認の必要がなく、戸閉操作が容易になるとともに、常に正確な位置に停止させることができ、位置ずれにより隙間が開いてショーケースから冷気が漏れたり、ショーケースに埃が侵入したりすることがない。
【００１０】
更に、図示実施の形態において、図２に示すように、走行レール１２の上面に、中央の引戸９が閉位置に達する直前に、車輪１３が乗り越える樹脂製の突起１８が設けられている。突起１８は半球状で円柱状の脚部１９を持ち、脚部１９が走行レール１２の図示しない穴に上方から差し込まれることにより固定されている。引戸９は車輪１３が突起１８を乗り越えて閉位置に達し、その際、突起１８を乗り越えたことが感触で手に伝わるため、目視に頼ることなく閉位置に達したことが容易に感知できる。また、突起１８を乗り越える際に一定の抵抗が生じるため、振動や作業員の接触などで閉位置から簡単に動いてしまうことがない。
【００１１】
突起１８に代えて図４に示すように、走行レール１２の上面に窪み２０を設け、引戸９の閉位置で車輪１３が窪み２０に落ち込むようにすることも可能である。ストッパ１５及び突起１８あるいは窪み２０は、いずれか単独でも有効であるが、図示のように双方を設ければ、引戸９のストッパ１５への接近を突起１８あるいは窪み２０により事前に察知してストッパ１５との衝突を避けることができ、また閉位置で引戸９の左右両方向の動きを止めることができる。なお、図示実施の形態では引戸が３枚の例を示したが、この発明は４枚以上の多数枚の引戸を有するショーケースについても同様に適用可能である。
【図面の簡単な説明】
【００１２】
【図１】この発明の実施の形態を示し、（Ａ）は背面引戸装置の正面図、（Ｂ）はその正面図である。
【図２】図１の要部拡大図である。
【図３】図１のIII−III線に沿う断面図である。
【図４】この発明の異なる実施の形態を示す要部拡大図である。
【図５】この発明の対象となるショーケースの一例を示す縦断面図である。
【図６】図５のショーケースの背面図である。
【符号の説明】
【００１３】
８    引戸
９    引戸
１０    引戸
１１    ガイドレール
１２    走行レール
１３    車輪
１５    ストッパ
１８    突起
２０    窪み
【図１】
2005185396.tif 000003
【図２】
2005185396.tif 000004
【図３】
2005185396.tif 000005
【図４】
2005185396.tif 000006
【図５】
2005185396.tif 000007
【図６】
2005185396.tif 000008